(57)【特許請求の範囲】
【請求項１】
所定の色のインクを貯留する第一タンクと、
複数のヘッドユニットを所定の方向に配置して形成され、前記インクを吐出するインクジェットヘッドと、
前記第一タンクと前記複数のヘッドユニットのそれぞれとを繋ぎ、前記第一タンクから前記複数のヘッドユニットに供給される前記インクが流れる供給流路と、
前記複数のヘッドユニットのそれぞれと前記第一タンクとを繋ぎ、前記複数のヘッドユニットのそれぞれから前記第一タンクに回収される前記インクが流れる回収流路と、
前記インクを送液する送液部と、を備え、
前記ヘッドユニットは、
前記インクが流出する流出口が形成され、前記第一タンクから前記供給流路を介して供給された前記インクを貯留する第二タンクと、
前記インクを吐出する複数のノズルが形成され、前記第二タンクから供給される前記インクが流入する供給口と前記供給口から流入した前記インクが流出する回収口とが形成され、前記供給口と前記複数のノズルのそれぞれとを繋ぎ且つ前記供給口と前記回収口とを繋ぎ、前記供給口から流入した前記インクが流れる内部流路が形成され、前記供給口と前記回収口とを繋ぐ前記内部流路の本流部から分岐した前記複数のノズルへとそれぞれ繋がる前記内部流路の各支流部に前記複数のノズルのそれぞれに対応して設けられた、前記ノズルから前記インクを吐出させる複数の駆動素子を備える流路部と、
前記流出口と前記供給口とを繋ぎ、前記第二タンクから前記流路部に供給される前記インクが流れる供給接続部と、
前記インクが流入する流入口が形成され、前記ノズルから吐出されずに前記回収口から流出し、前記回収流路を介して前記第一タンクに回収される前記インクを貯留する第三タンクと、
前記回収口と前記流入口とを繋ぎ、前記流路部から前記第三タンクに回収される前記インクが流れる回収接続部と、を備え、
前記第二タンクは、前記流出口と前記供給口とが向かい合った状態で、前記流路部の上方に設けられ、
前記第三タンクは、前記回収口と前記流入口とが向かい合った状態で、前記流路部の上方に設けられる、インクジェット記録装置。
【請求項２】
前記第二タンクは、前記第二タンクの内部に、前記第一タンクから供給された前記インクに含まれる不純物を除去するフィルタを備える、請求項１に記載のインクジェット記録装置。
【請求項３】
記第二タンクと前記第三タンクとは同一形状のタンクである、請求項１に記載のインクジェット記録装置。
【請求項４】
前記第二タンクに貯留された前記インクの液面を検出する検出部を備える、請求項１から請求項３の何れか１項に記載のインクジェット記録装置。
【請求項５】
前記回収接続部に設けられ、前記回収接続部を流れる前記インクの流量を調整する調整部を備える、請求項１から請求項４の何れか１項に記載のインクジェット記録装置。
【請求項６】
前記第二タンクには、前記流出口としての第一流出口と第二流出口とが形成され、
前記流路部は、
前記複数のノズルが形成されたノズルプレートと、
前記供給口としての第一供給口と前記回収口としての第一回収口とが形成され、前記第一供給口と前記ノズルプレートに形成された前記複数のノズルのうちの第一ノズル群を形成する複数の第一ノズルのそれぞれとを繋ぎ且つ前記第一供給口と前記第一回収口とを繋ぎ、前記内部流路の第一部分である前記第一供給口から流入した前記インクが流れる第一内部流路が形成され、前記第一供給口と前記第一回収口とを繋ぐ前記第一内部流路の第一本流部から分岐した前記複数の第一ノズルへとそれぞれ繋がる前記第一内部流路の各支流部に前記複数の第一ノズルのそれぞれに対応して設けられた、前記第一ノズルから前記インクを吐出させる前記複数の駆動素子に含まれる複数の第一駆動素子を備える第一流路モジュールと、
前記供給口としての第二供給口と前記回収口としての第二回収口とが形成され、前記第二供給口と前記ノズルプレートに形成された前記複数のノズルのうちの第二ノズル群を形成する複数の第二ノズルのそれぞれとを繋ぎ且つ前記第二供給口と前記第二回収口とを繋ぎ、前記内部流路の第二部分である前記第二供給口から流入した前記インクが流れる第二内部流路が形成され、前記第二供給口と前記第二回収口とを繋ぐ前記第二内部流路の第二本流部から分岐した前記複数の第二ノズルへとそれぞれ繋がる前記第二内部流路の各支流部に前記複数の第二ノズルのそれぞれに対応して設けられた、前記第二ノズルから前記インクを吐出させる前記複数の駆動素子に含まれる複数の第二駆動素子を備える第二流路モジュールと、
前記ノズルプレートが取り付けられ、前記第一流路モジュールと前記第二流路モジュールとが隣り合う状態で取り付けられ、前記ノズルプレートと、前記第一流路モジュール及び前記第二流路モジュールと、を接続するフレームと、を備え、
前記供給接続部は、
前記第一流出口と前記第一供給口とを繋ぎ、前記第二タンクから前記第一流路モジュールに供給される前記インクが流れる第一供給接続部と、
前記第二流出口と前記第二供給口とを繋ぎ、前記第二タンクから前記第二流路モジュールに供給される前記インクが流れる第二供給接続部と、を備え、
前記第三タンクには、前記流入口としての第一流入口と第二流入口とが形成され、
前記回収接続部は、
前記第一回収口と前記第一流入口とを繋ぎ、前記第一流路モジュールから前記第三タンクに回収される前記インクが流れる第一回収接続部と、
前記第二回収口と前記第二流入口とを繋ぎ、前記第二流路モジュールから前記第三タンクに回収される前記インクが流れる第二回収接続部と、を備え、
前記第二タンクは、前記第一流出口と前記第一供給口とが向かい合い且つ前記第二流出口と前記第二供給口とが向かい合った状態で、前記第一流路モジュールと前記第二流路モジュールとの上方に設けられ、
前記第三タンクは、前記第一回収口と前記第一流入口とが向かい合い且つ前記第二回収口と前記第二流入口とが向かい合った状態で、前記第一流路モジュールと前記第二流路モジュールとの上方に設けられる、請求項１から請求項５の何れか１項に記載のインクジェット記録装置。
【発明の詳細な説明】
【技術分野】
【０００１】
本発明は、インクジェット記録装置に関する。
【背景技術】
【０００２】
インクジェットに関する技術が提案されている。例えば、特許文献１には、インクジェット記録装置が開示されている。このインクジェット記録装置は、ラインヘッドと、インクタンクと、インク温度調整装置と、第１のポンプと、第２のポンプと、制御手段を備える。インクタンクは、ラインヘッドに供給されるインクを貯留している。インク温度調整装置は、インクタンクからラインヘッドへのインク供給路の途中に配置される。第１のポンプと第２のポンプは、ラインヘッドからインクタンクへのインク回収路の途中に配置される。制御手段は、第１のポンプと第２のポンプをコントロールする。制御手段からの信号によって第１のポンプと第２のポンプが駆動すると、インクタンクからインクが供給され、インク温度調整装置をインクが通過する。インク温度調整装置を通過するインクは所定の温度に調整されて、ラインヘッドへ供給される。ラインヘッド内部のインク流路を経て排出されたインクは、第１のポンプ又は第２のポンプを経て、インクタンクへ回収される。
【０００３】
特許文献２には、インクジェット記録装置が開示されている。このインクジェット記録装置のインクジェット記録ヘッドでは、同じインクを用いる複数のヘッドが同一基板上に形成される。このインクジェット記録ヘッドでは、複数のインク導入流路、複数のヘッドのインクタンク、インク加熱部、ノズルキャップ部及びパージ手段、インク補助タンクが共有化される。
【先行技術文献】
【特許文献】
【０００４】
【特許文献１】特開２０１３−１０７３８９号公報
【特許文献２】特開平１１−３１４３７９号公報
【発明の概要】
【発明が解決しようとする課題】
【０００５】
インクジェット記録装置は、記録媒体に画像を高品質に記録することができる。そのため、インクジェット記録装置は、家庭用途の他、産業分野においても利用されている。産業分野で利用されるインクジェット記録装置は、大きな記録媒体を対象として効率よく画像を記録するため、例えば、家庭用のインクジェット記録装置と比較すると極めて大きなインクジェットヘッドを備える。画像の記録に用いられるインクは、例えば、色材及び添加剤といった所定の成分を溶媒に分散させてなる。含有成分は、所定の比重を有する。全部又は一部の含有成分は、溶媒より比重が大きい。従って、インクジェット記録装置の内部に存在するインクにおいて、含有成分の沈降が生じる場合もある。このような沈降は、例えば、インクジェット記録装置で画像の記録が行われず、インクが一定の場所に継続して貯留（停滞）しているような場合に生じ易い。含有成分が沈降すると、濃度が変化し、吐出結果に濃度ムラ又は歪み、色再現性の悪化等の品質劣化が生じることがある。また、インクが停滞していると、インクの乾燥が問題となることがある。このような問題に対して、発明者は、インクの循環について検討を行った。その際、発明者は、インクジェットヘッドの小型化についても検討を行った。
【０００６】
本発明は、インクの循環と装置の小型化を実現できるインクジェット記録装置を提供することを目的とする。
【課題を解決するための手段】
【０００７】
本発明の一側面は、所定の色のインクを貯留する第一タンクと、複数のヘッドユニットを所定の方向に配置して形成され、前記インクを吐出するインクジェットヘッドと、前記第一タンクと前記複数のヘッドユニットのそれぞれとを繋ぎ、前記第一タンクから前記複数のヘッドユニットに供給される前記インクが流れる供給流路と、前記複数のヘッドユニットのそれぞれと前記第一タンクとを繋ぎ、前記複数のヘッドユニットのそれぞれから前記第一タンクに回収される前記インクが流れる回収流路と、前記インクを送液する送液部と、を備え、前記ヘッドユニットは、前記インクが流出する流出口が形成され、前記第一タンクから前記供給流路を介して供給された前記インクを貯留する第二タンクと、前記インクを吐出する複数のノズルが形成され、前記第二タンクから供給される前記インクが流入する供給口と前記供給口から流入した前記インクが流出する回収口とが形成され、前記供給口と前記複数のノズルのそれぞれとを繋ぎ且つ前記供給口と前記回収口とを繋ぎ、前記供給口から流入した前記インクが流れる内部流路が形成され、前記供給口と前記回収口とを繋ぐ前記内部流路の本流部から分岐した前記複数のノズルへとそれぞれ繋がる前記内部流路の各支流部に前記複数のノズルのそれぞれに対応して設けられた、前記ノズルから前記インクを吐出させる複数の駆動素子を備える流路部と、前記流出口と前記供給口とを繋ぎ、前記第二タンクから前記流路部に供給される前記インクが流れる供給接続部と、前記インクが流入する流入口が形成され、前記ノズルから吐出されずに前記回収口から流出し、前記回収流路を介して前記第一タンクに回収される前記インクを貯留する第三タンクと、前記回収口と前記流入口とを繋ぎ、前記流路部から前記第三タンクに回収される前記インクが流れる回収接続部と、を備え、前記第二タンクは、前記流出口と前記供給口とが向かい合った状態で、前記流路部の上方に設けられ、前記第三タンクは、前記回収口と前記流入口とが向かい合った状態で、前記流路部の上方に設けられる、インクジェット記録装置である。
【０００８】
これによれば、第一タンクから第二タンクにインクを供給し、第二タンクに貯留されたインクを流路部に供給し、第二タンクから流路部に供給されたインクのうち、ノズルから吐出されないインクを第三タンクに回収し、第三タンクに貯留されたインクを第一タンクに回収することができる。インクを循環させることができる。多量のインク消費にも対応することができる。第二タンクと第三タンクをコンパクトに配置することができる。
【０００９】
このインクジェット記録装置は、次のようにしてもよい。前記第二タンクは、前記第二タンクの内部に、前記第一タンクから供給された前記インクに含まれる不純物を除去するフィルタを備える、ようにしてもよい。これによれば、流路部への不純物の混入を抑制することができる。不純物に起因したノズル詰まり又は吐出異常を抑制することができる。不純物としては、気泡、又は、埃若しくは塵等の異物が例示される。
【００１０】
前記第二タンクと前記第三タンクとは同一形状のタンクである、ようにしてもよい。これによれば、インクジェット記録装置を構成する部品点数を少なくすることができる。インクジェット記録装置の管理が容易になる。例えば、ヘッドモジュールを組み立てるとする。作業者は、所定の１個のタンクが第二タンクであるか第三タンクであるかに留意することなく、組立作業を行うことができる。第二タンク又は第三タンクとなり得るタンクには、所定の位置に開口が形成される。このタンクが第二タンクとされる場合、前述した開口は流出口となり、第三タンクとされる場合、前述した開口は流入口となる。
【００１１】
前記第二タンクに貯留された前記インクの液面を検出する検出部を備える、ようにしてもよい。これによれば、第二タンクへのインクの供給を制御することができる。第二タンクの液面が変動し、吐出異常が発生することを抑制することができる。
【００１２】
前記回収接続部に設けられ、前記回収接続部を流れる前記インクの流量を調整する調整部を備える、ようにしてもよい。これによれば、第三タンクの側に流れるインクの量を可変することができる。画像の記録には、粘度の異なる各種のインクが使用される。使用するインクの種類に応じて、第三タンクの側に流れるインクの量、換言すれば、複数のノズルの側に流れるインクの量を調整することができる。
【００１３】
前記第二タンクには、前記流出口としての第一流出口と第二流出口とが形成され、前記流路部は、前記複数のノズルが形成されたノズルプレートと、前記供給口としての第一供給口と前記回収口としての第一回収口とが形成され、前記第一供給口と前記ノズルプレートに形成された前記複数のノズルのうちの第一ノズル群を形成する複数の第一ノズルのそれぞれとを繋ぎ且つ前記第一供給口と前記第一回収口とを繋ぎ、前記内部流路の第一部分である前記第一供給口から流入した前記インクが流れる第一内部流路が形成され、前記第一供給口と前記第一回収口とを繋ぐ前記第一内部流路の第一本流部から分岐した前記複数の第一ノズルへとそれぞれ繋がる前記第一内部流路の各支流部に前記複数の第一ノズルのそれぞれに対応して設けられた、前記第一ノズルから前記インクを吐出させる前記複数の駆動素子に含まれる複数の第一駆動素子を備える第一流路モジュールと、前記供給口としての第二供給口と前記回収口としての第二回収口とが形成され、前記第二供給口と前記ノズルプレートに形成された前記複数のノズルのうちの第二ノズル群を形成する複数の第二ノズルのそれぞれとを繋ぎ且つ前記第二供給口と前記第二回収口とを繋ぎ、前記内部流路の第二部分である前記第二供給口から流入した前記インクが流れる第二内部流路が形成され、前記第二供給口と前記第二回収口とを繋ぐ前記第二内部流路の第二本流部から分岐した前記複数の第二ノズルへとそれぞれ繋がる前記第二内部流路の各支流部に前記複数の第二ノズルのそれぞれに対応して設けられた、前記第二ノズルから前記インクを吐出させる前記複数の駆動素子に含まれる複数の第二駆動素子を備える第二流路モジュールと、前記ノズルプレートが取り付けられ、前記第一流路モジュールと前記第二流路モジュールとが隣り合う状態で取り付けられ、前記ノズルプレートと、前記第一流路モジュール及び前記第二流路モジュールと、を接続するフレームと、を備え、前記供給接続部は、前記第一流出口と前記第一供給口とを繋ぎ、前記第二タンクから前記第一流路モジュールに供給される前記インクが流れる第一供給接続部と、前記第二流出口と前記第二供給口とを繋ぎ、前記第二タンクから前記第二流路モジュールに供給される前記インクが流れる第二供給接続部と、を備え、前記第三タンクには、前記流入口としての第一流入口と第二流入口とが形成され、前記回収接続部は、前記第一回収口と前記第一流入口とを繋ぎ、前記第一流路モジュールから前記第三タンクに回収される前記インクが流れる第一回収接続部と、前記第二回収口と前記第二流入口とを繋ぎ、前記第二流路モジュールから前記第三タンクに回収される前記インクが流れる第二回収接続部と、を備え、前記第二タンクは、前記第一流出口と前記第一供給口とが向かい合い且つ前記第二流出口と前記第二供給口とが向かい合った状態で、前記第一流路モジュールと前記第二流路モジュールとの上方に設けられ、前記第三タンクは、前記第一回収口と前記第一流入口とが向かい合い且つ前記第二回収口と前記第二流入口とが向かい合った状態で、前記第一流路モジュールと前記第二流路モジュールとの上方に設けられる、ようにしてもよい。
【００１４】
これによれば、複数の流路モジュールに対して１個の第二タンクからインクを供給し、複数の流路モジュールから１個の第三タンクにインクを回収することができる。複数の流路モジュールのそれぞれに対して第二タンクに相当するタンクを設け、更に、複数の流路モジュールのそれぞれに対して第三タンクに相当するタンクを設けた構成と比較し、シンプルなインクジェット記録装置とすることができる。ノズルプレートと第一流路モジュール及び第二流路モジュールはフレームを介して接続されるため、これらを、例えば、接着剤又はねじによって直接接続する必要がない。第一流路モジュール又は第二流路モジュールを個別に取り替えることができる。第一流路モジュールが故障した場合、第一流路モジュールのみを交換し、第二流路モジュールが故障した場合、第二流路モジュールのみを交換することができる。
【発明の効果】
【００１５】
本発明によれば、インクの循環と装置の小型化を実現できるインクジェット記録装置を得ることができる。
【図面の簡単な説明】
【００１６】
【図１】インクジェット記録装置の概略構成を示す斜視図である。
【図２】第一タンクとインクジェットヘッドの間のインク循環の概略構成を示す斜視図である。
【図３】ヘッドユニットの概略構成を示す斜視図である。
【図４】第二タンクと供給接続部と第三タンクと回収接続部と流路部の概略構成を示す斜視図である。
【図５】流路モジュールとフレームとノズルプレートの概略構成を示す斜視図である。
【図６】ヘッドユニットの内部構造を示す図であって、図３のＭ−Ｍ線断面図である。
【発明を実施するための形態】
【００１７】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１８】
＜インクジェット記録装置＞
インクジェット記録装置１０について、図１及び図２を参照して説明する。インクジェット記録装置１０では、記録媒体１４が搬送され、記録媒体１４の記録面１５に画像が記録される。インクジェット記録装置１０では、各種の記録媒体１４を対象として画像が記録される。記録媒体１４としては、例えば、布帛又は建築用資材が挙げられる。本実施形態では、記録媒体１４が長尺状の布帛である場合を例に説明する。また、画像の記録に用いられるインク色は、ブラック、マゼンタ、イエロー及びシアンの４色とする。インク色は、これら以外の色であってもよい。インク色数は、３色以下又は５色以上としてもよい。図１で搬送方向の下流側に図示された記録媒体１４の部分に付した網点模様は、記録媒体１４に記録された画像に対応する。
【００１９】
インクジェット記録装置１０は、図１及び図２に示すように、搬送部２０と、記録部３０と、移動部４０と、第一タンク５０Ｋ，５０Ｍ，５０Ｙ，５０Ｃと、供給流路５１Ｋ，５１Ｍ，５１Ｙ，５１Ｃと、回収流路５２Ｋ，５２Ｍ，５２Ｙ，５２Ｃと、ポンプ５３を備える。ポンプ５３は、インク色数に対応して４台設けられる。図１では、ポンプ５３の図示は省略されている。搬送部２０は、記録媒体１４を、記録媒体１４の長手方向に沿って搬送する。搬送部２０によって搬送される記録媒体１４は、記録部３０を通過する。本実施形態では、搬送部２０によって記録媒体１４が搬送される方向を「搬送方向」という。搬送方向は、記録媒体１４の長手方向に沿った方向であって、記録媒体１４の短手方向に直交する方向である。記録媒体１４の短手方向は、記録媒体１４の幅方向であって、後述するように記録部３０が移動部４０により往復移動される方向（主走査方向）に一致する。本実施形態では、搬送方向及びこれと反対方向を、記録媒体１４の長手方向に準じ「長手方向」という。なお、搬送方向及びこれと反対方向は、前述した主走査方向に対して「副走査方向」と称されることもある。搬送方向及びこれと反対方向のそれぞれに直交する方向を、記録媒体１４の短手方向に準じ「短手方向」という。
【００２０】
記録部３０は、インクジェットヘッド３１Ｋ，３１Ｍ，３１Ｙ，３１Ｃと、キャリッジ３４を備える。インクジェットヘッド３１Ｋは、ブラックインクを吐出し、ブラックインクにより画像を記録するインクジェットヘッドである。インクジェットヘッド３１Ｋには、ブラックインクを吐出するノズル３２が複数形成される。インクジェットヘッド３１Ｍは、マゼンタインクを吐出し、マゼンタインクにより画像を記録するインクジェットヘッドである。インクジェットヘッド３１Ｍには、マゼンタインクを吐出するノズル３２が複数形成される。インクジェットヘッド３１Ｙは、イエローインクを吐出し、イエローインクにより画像を記録するインクジェットヘッドである。インクジェットヘッド３１Ｙには、イエローインクを吐出するノズル３２が複数形成される。インクジェットヘッド３１Ｃは、シアンインクを吐出し、シアンインクにより画像を記録するインクジェットヘッドである。インクジェットヘッド３１Ｃには、シアンインクを吐出するノズル３２が複数形成される。
【００２１】
インクジェットヘッド３１Ｋ，３１Ｍ，３１Ｙ，３１Ｃは、同様の構成を有する。本実施形態では、インクジェットヘッド３１Ｋ，３１Ｍ，３１Ｙ，３１Ｃを区別せず、又は、これらを総称する場合、「インクジェットヘッド３１」という。
【００２２】
各色用のインクジェットヘッド３１は、複数のヘッドユニット６０により形成される（図２参照）。インクジェットヘッド３１は、長手方向に配列された一群のヘッドユニット６０を、短手方向に複数配列して形成される。短手方向の一方側（例えば、「第一側」  図１参照）で長手方向に配列された複数のヘッドユニット６０による第一ユニット列と、短手方向の他方側（例えば、「第二側」  図１参照）で長手方向に配列された複数のヘッドユニット６０による第二ユニット列は、図２に示すように、長手方向に所定量だけずれた状態で配置される。第一ユニット列又は第二ユニット列で、２個のヘッドユニット６０が長手方向に隣り合う領域には、ノズル３２が存在しない長手方向の領域が形成される。第一ユニット列と第二ユニット列を長手方向にずらして設けることで、一方のユニット列においてノズル３２が存在しない長手方向の領域に対応させて、他方のユニット列を形成するヘッドユニット６０のノズル３２を重畳配置することができる。
【００２３】
図２では、長手方向に５個のヘッドユニット６０を配列して１列のユニット列とし、このユニット列を短手方向に２列設けた構成としているが、このような構成は例示である。長手方向に配列させるヘッドユニット６０の数と短手方向におけるユニット列の数は、図２とは異なる数としてもよい。ヘッドユニット６０に関するこの他の説明は後述する。
【００２４】
キャリッジ３４には、インクジェットヘッド３１Ｋ，３１Ｍ，３１Ｙ，３１Ｃが所定の位置に位置決めされた状態でそれぞれ搭載される。インクジェットヘッド３１Ｋ，３１Ｍ，３１Ｙ，３１Ｃは、図１に示すように、短手方向に隣り合った状態でキャリッジ３４に搭載される。各色用のインクジェットヘッド３１の配列順序は、図１とは異なる順序としてもよい。これらの配列順序は、諸条件を考慮して適宜決定される。
【００２５】
移動部４０は、記録部３０を短手方向に往復移動させる。移動部４０は、図１に示すように、２個のプーリ４１，４２と、タイミングベルト４３を含む。２個のプーリ４１，４２は、搬送部２０を基準として、短手方向の両側にそれぞれ設けられる。例えば、プーリ４１には、モータ（不図示）が連結され、プーリ４２は、回転自在に支持される。プーリ４１は、モータの回転に伴い回転する。タイミングベルト４３は、張力が作用した状態でプーリ４１，４２に架け渡される。タイミングベルト４３には、キャリッジ３４に固定された支持部４６を介して記録部３０が取り付けられる。
【００２６】
インクジェット記録装置１０で画像が記録される場合、プーリ４１に連結されたモータが時計回りと反時計回りに往復して回転する。そして、モータの回転に伴い、プーリ４１が左右両側に往復して回転する。図１でプーリ４１の内側に示す「弧状の矢印」は、プーリ４１の回転方向を示す。モータが所定の方向に回転することでプーリ４１が左回転すると、タイミングベルト４３も左回転する。プーリ４２は、左回転するタイミングベルト４３に従動して回転する。これに伴い、記録部３０は、短手方向の第二側から第一側に移動する。記録部３０が短手方向の第一側の移動端に到達すると、モータの回転方向は反転し、プーリ４１は、右回転する。プーリ４１が右回転すると、タイミングベルト４３も右回転する。プーリ４２は、右回転するタイミングベルト４３に従動して回転する。これに伴い、記録部３０は、短手方向の第一側から第二側に移動する。記録部３０が短手方向の第二側の移動端に到達すると、モータの回転方向は再度反転し、プーリ４１は、再度左回転する。移動部４０による記録部３０の短手方向への往復移動は、画像の記録が終了するまで繰り返される。
【００２７】
第一タンク５０Ｋは、ブラックインクを貯留するメインタンクである。供給流路５１Ｋは、第一タンク５０Ｋとインクジェットヘッド３１Ｋを形成する複数のヘッドユニット６０のそれぞれを繋ぐ。回収流路５２Ｋは、インクジェットヘッド３１Ｋを形成する複数のヘッドユニット６０のそれぞれと第一タンク５０Ｋを繋ぐ。ブラックインクは、第一タンク５０Ｋから流出し、供給流路５１Ｋを流れて、インクジェットヘッド３１Ｋを形成する複数のヘッドユニット６０にそれぞれ供給される。また、インクジェットヘッド３１Ｋを形成する複数のヘッドユニット６０にそれぞれ供給されたブラックインクの一部は、各ヘッドユニット６０から流出し、回収流路５２Ｋを流れて、第一タンク５０Ｋに回収される。第一タンク５０Ｍは、マゼンタインクを貯留するメインタンクである。供給流路５１Ｍは、第一タンク５０Ｍとインクジェットヘッド３１Ｍを形成する複数のヘッドユニット６０のそれぞれを繋ぐ。回収流路５２Ｍは、インクジェットヘッド３１Ｍを形成する複数のヘッドユニット６０のそれぞれと第一タンク５０Ｍを繋ぐ。マゼンタインクは、第一タンク５０Ｍから流出し、供給流路５１Ｍを流れて、インクジェットヘッド３１Ｍを形成する複数のヘッドユニット６０にそれぞれ供給される。また、インクジェットヘッド３１Ｍを形成する複数のヘッドユニット６０にそれぞれ供給されたマゼンタインクの一部は、各ヘッドユニット６０から流出し、回収流路５２Ｍを流れて、第一タンク５０Ｍに回収される。
【００２８】
第一タンク５０Ｙは、イエローインクを貯留するメインタンクである。供給流路５１Ｙは、第一タンク５０Ｙとインクジェットヘッド３１Ｙを形成する複数のヘッドユニット６０のそれぞれを繋ぐ。回収流路５２Ｙは、インクジェットヘッド３１Ｙを形成する複数のヘッドユニット６０のそれぞれと第一タンク５０Ｙを繋ぐ。イエローインクは、第一タンク５０Ｙから流出し、供給流路５１Ｙを流れて、インクジェットヘッド３１Ｙを形成する複数のヘッドユニット６０にそれぞれ供給される。また、インクジェットヘッド３１Ｙを形成する複数のヘッドユニット６０にそれぞれ供給されたイエローインクの一部は、各ヘッドユニット６０から流出し、回収流路５２Ｙを流れて、第一タンク５０Ｙに回収される。第一タンク５０Ｃは、シアンインクを貯留するメインタンクである。供給流路５１Ｃは、第一タンク５０Ｃとインクジェットヘッド３１Ｃを形成する複数のヘッドユニット６０のそれぞれを繋ぐ。回収流路５２Ｃは、インクジェットヘッド３１Ｃを形成する複数のヘッドユニット６０のそれぞれと第一タンク５０Ｃを繋ぐ。シアンインクは、第一タンク５０Ｃから流出し、供給流路５１Ｃを流れて、インクジェットヘッド３１Ｃを形成する複数のヘッドユニット６０にそれぞれ供給される。また、インクジェットヘッド３１Ｃを形成する複数のヘッドユニット６０にそれぞれ供給されたシアンインクの一部は、各ヘッドユニット６０から流出し、回収流路５２Ｃを流れて、第一タンク５０Ｃに回収される。
【００２９】
図１では、供給流路５１Ｋ，５１Ｍ，５１Ｙ，５１Ｃ及び回収流路５２Ｋ，５２Ｍ，５２Ｙ，５２Ｃの図示を簡略化している。供給流路５１Ｋ，５１Ｍ，５１Ｙ，５１Ｃ及び回収流路５２Ｋ，５２Ｍ，５２Ｙ，５２Ｃは、記録部３０の短手方向への往復移動に対応可能な状態で設けられる。本実施形態では、第一タンク５０Ｋ，５０Ｍ，５０Ｙ，５０Ｃを区別せず、又は、これらを総称する場合、「第一タンク５０」という。供給流路５１Ｋ，５１Ｍ，５１Ｙ，５１Ｃを区別せず、又は、これらを総称する場合、「供給流路５１」という。回収流路５２Ｋ，５２Ｍ，５２Ｙ，５２Ｃを区別せず、又は、これらを総称する場合、「回収流路５２」という。各色用の供給流路５１は、インクジェットヘッド３１を形成する複数のヘッドユニット６０のそれぞれにインクを分配する構成を含むようにしてもよい。各色用の回収流路５２は、インクジェットヘッド３１を形成する複数のヘッドユニット６０のそれぞれからのインクを合流させる構成を含むようにしてもよい。
【００３０】
４台のポンプ５３は、各色用の供給流路５１の途中にそれぞれ１台ずつ設けられる（図２参照）。各色用の供給流路５１にそれぞれ設けられた各ポンプ５３は、各色のインクを送液する。ポンプ５３によって送液されたインクは、第一タンク５０からインクジェットヘッド３１を形成する複数のヘッドユニット６０に供給され、各ヘッドユニット６０の内部を流れ、複数のヘッドユニット６０から第一タンク５０に回収される。各色用のポンプ５３の駆動により、各色のインクは送液され、これに伴い、循環される。
【００３１】
インクジェット記録装置１０で、記録部３０を短手方向に往復移動させて記録媒体１４に画像が記録される場合、記録媒体１４は、搬送部２０によって搬送方向に搬送される。搬送部２０による記録媒体１４の搬送は、記録部３０の短手方向への移動に応じて間欠的に行われる。各色のインクは、記録部３０が短手方向に移動している所定のタイミングで、インクジェットヘッド３１Ｋ，３１Ｍ，３１Ｙ，３１Ｃにそれぞれ形成されたノズル３２から、記録媒体１４に向けて吐出される。インクジェットヘッド３１Ｋ，３１Ｍ，３１Ｙ，３１Ｃの各ノズル３２から吐出された各色のインクは、記録媒体１４の記録面１５に着弾する。着弾した各色のインクにより記録媒体１４の記録面１５に画像が記録される。記録媒体１４の記録面１５は、記録媒体１４が記録部３０を通過する際、各色用のインクジェットヘッド３１の吐出面３５（図６参照）と対向する面である。吐出面３５は、各色用のインクジェットヘッド３１でノズル３２が形成された面である。
【００３２】
＜ヘッドユニット＞
ヘッドユニット６０について、図２〜図６を参照して説明する。インクジェットヘッド３１Ｋ，３１Ｍ，３１Ｙ，３１Ｃは、同一のヘッドユニット６０（図３参照）を、図２に示すように配置して形成される。従って、以下では、インク色を区別することなく説明する。図４において、破線は、かくれた形状を示すかくれ線である。図６において、ハッチングは、断面された部分を示す。
【００３３】
ヘッドユニット６０は、第二タンク６２と、供給接続部６４Ａ，６４Ｂ，６４Ｄ，６４Ｅ，６４Ｆ，６４Ｇと、第三タンク６６と、回収接続部６８Ａ，６８Ｂ，６８Ｄ，６８Ｅ，６８Ｆ，６８Ｇと、流路部７０を備える。ヘッドユニット６０は、これら各部を適宜組み立てて形成される（図３及び図４参照）。流路部７０は、ノズルプレート７５と、流路モジュール８０Ａ，８０Ｂ，８０Ｄ，８０Ｅ，８０Ｆ，８０Ｇと、フレーム９０を備え、これら各部を適宜組み立てて形成される（図３〜図５参照）。流路モジュール８０Ａには供給口８１Ａ及び回収口８２Ａが形成される（図４参照）。流路モジュール８０Ｂには供給口８１Ｂ及び回収口８２Ｂが形成される（図４参照）。流路モジュール８０Ｄには供給口８１Ｄ及び回収口８２Ｄが形成される（図４参照）。流路モジュール８０Ｅには供給口８１Ｅ及び回収口８２Ｅが形成される（図４参照）。流路モジュール８０Ｆには供給口８１Ｆ及び回収口８２Ｆが形成される（図４参照）。流路モジュール８０Ｇには供給口８１Ｇ及び回収口８２Ｇが形成される（図４参照）。流路モジュール８０Ａ，８０Ｂ，８０Ｄ，８０Ｅ，８０Ｆ，８０Ｇに関するこの他の説明は後述する。
【００３４】
第二タンク６２は、供給流路５１に接続される（図２参照）。第二タンク６２は、供給流路５１を介して第一タンク５０から供給されたインクを貯留する供給側のサブタンクである。第二タンク６２は、１個のヘッドユニット６０に１個設けられる。換言すれば、第二タンク６２は、６個の流路モジュール８０Ａ，８０Ｂ，８０Ｄ，８０Ｅ，８０Ｆ，８０Ｇに対して１個設けられる。第二タンク６２はフィルタ６５を備える（図４及び図６参照）。図４及び図６において、フィルタ６５には水玉模様を付している。第二タンク６２の内部は、フィルタ６５によって鉛直方向に２個の空間に隔てられる。フィルタ６５は、インクに含まれる不純物を除去する。供給流路５１を流れて第二タンク６２に供給されたインクは、鉛直方向の上側の空間からフィルタ６５を通過して下側の空間に移動する。
【００３５】
第二タンク６２の底部には、流路モジュール８０Ａ，８０Ｂ，８０Ｄ，８０Ｅ，８０Ｆ，８０Ｇにそれぞれ形成された供給口８１Ａ，８１Ｂ，８１Ｄ，８１Ｅ，８１Ｆ，８１Ｇに対応する６個の流出口６３Ａ，６３Ｂ，６３Ｄ，６３Ｅ，６３Ｆ，６３Ｇが形成される（図４及び図６参照）。第二タンク６２は、流路モジュール８０Ａ，８０Ｂ，８０Ｄ，８０Ｅ，８０Ｆ，８０Ｇの供給口８１Ａ，８１Ｂ，８１Ｄ，８１Ｅ，８１Ｆ，８１Ｇの側に設けられる。このとき、第二タンク６２は、流出口６３Ａ，６３Ｂ，６３Ｄ，６３Ｅ，６３Ｆ，６３Ｇと供給口８１Ａ，８１Ｂ，８１Ｄ，８１Ｅ，８１Ｆ，８１Ｇがそれぞれ向かい合った状態で、流路モジュール８０Ａ，８０Ｂ，８０Ｄ，８０Ｅ，８０Ｆ，８０Ｇの上方に設けられる（図３、図４及び図６参照）。
【００３６】
供給接続部６４Ａは、第二タンク６２の流出口６３Ａと流路モジュール８０Ａの供給口８１Ａを繋ぐ（図３、図４及び図６参照）。第二タンク６２に貯留されたインクは、第二タンク６２の流出口６３Ａから流出し、供給接続部６４Ａを流れ、供給口８１Ａを通過して流路モジュール８０Ａに供給される。供給接続部６４Ｂは、第二タンク６２の流出口６３Ｂと流路モジュール８０Ｂの供給口８１Ｂを繋ぐ（図３、図４及び図６参照）。第二タンク６２に貯留されたインクは、第二タンク６２の流出口６３Ｂから流出し、供給接続部６４Ｂを流れ、供給口８１Ｂを通過して流路モジュール８０Ｂに供給される。供給接続部６４Ｄは、第二タンク６２の流出口６３Ｄと流路モジュール８０Ｄの供給口８１Ｄを繋ぐ（図３、図４及び図６参照）。第二タンク６２に貯留されたインクは、第二タンク６２の流出口６３Ｄから流出し、供給接続部６４Ｄを流れ、供給口８１Ｄを通過して流路モジュール８０Ｄに供給される。
【００３７】
供給接続部６４Ｅは、第二タンク６２の流出口６３Ｅと流路モジュール８０Ｅの供給口８１Ｅを繋ぐ（図３、図４及び図６参照）。第二タンク６２に貯留されたインクは、第二タンク６２の流出口６３Ｅから流出し、供給接続部６４Ｅを流れ、供給口８１Ｅを通過して流路モジュール８０Ｅに供給される。供給接続部６４Ｆは、第二タンク６２の流出口６３Ｆと流路モジュール８０Ｆの供給口８１Ｆを繋ぐ（図３、図４及び図６参照）。第二タンク６２に貯留されたインクは、第二タンク６２の流出口６３Ｆから流出し、供給接続部６４Ｆを流れ、供給口８１Ｆを通過して流路モジュール８０Ｆに供給される。供給接続部６４Ｇは、第二タンク６２の流出口６３Ｇと流路モジュール８０Ｇの供給口８１Ｇを繋ぐ（図３、図４及び図６参照）。第二タンク６２に貯留されたインクは、第二タンク６２の流出口６３Ｇから流出し、供給接続部６４Ｇを流れ、供給口８１Ｇを通過して流路モジュール８０Ｇに供給される。
【００３８】
第三タンク６６は、回収流路５２に接続される（図２参照）。第三タンク６６は、第二タンク６２から流路モジュール８０Ａ，８０Ｂ，８０Ｄ，８０Ｅ，８０Ｆ，８０Ｇに供給され、ノズル３２から吐出されずに流路モジュール８０Ａ，８０Ｂ，８０Ｄ，８０Ｅ，８０Ｆ，８０Ｇのそれぞれから流出するインクを貯留する回収側のサブタンクである。第三タンク６６は、１個のヘッドユニット６０に１個設けられる。換言すれば、第三タンク６６は、６個の流路モジュール８０Ａ，８０Ｂ，８０Ｄ，８０Ｅ，８０Ｆ，８０Ｇに対して１個設けられる。第三タンク６６の底部には、流路モジュール８０Ａ，８０Ｂ，８０Ｄ，８０Ｅ，８０Ｆ，８０Ｇにそれぞれ形成された回収口８２Ａ，８２Ｂ，８２Ｄ，８２Ｅ，８２Ｆ，８２Ｇに対応する６個の流入口６７Ａ，６７Ｂ，６７Ｄ，６７Ｅ，６７Ｆ，６７Ｇが形成される（図４参照）。第三タンク６６は、流路モジュール８０Ａ，８０Ｂ，８０Ｄ，８０Ｅ，８０Ｆ，８０Ｇの回収口８２Ａ，８２Ｂ，８２Ｄ，８２Ｅ，８２Ｆ，８２Ｇの側に設けられる。このとき、第三タンク６６は、流入口６７Ａ，６７Ｂ，６７Ｄ，６７Ｅ，６７Ｆ，６７Ｇと回収口８２Ａ，８２Ｂ，８２Ｄ，８２Ｅ，８２Ｆ，８２Ｇがそれぞれ向かい合った状態で、流路モジュール８０Ａ，８０Ｂ，８０Ｄ，８０Ｅ，８０Ｆ，８０Ｇの上方に設けられる（図３及び図４参照）。第三タンク６６に貯留されたインクは、回収流路５２を流れて第一タンク５０に回収される。
【００３９】
第二タンク６２と第三タンク６６は、フィルタ６５の有無を除き、同様の形状としてもよい。例えば、第二タンク６２の内部の空間の寸法（幅×奥行き×高さ）と第三タンク６６の内部の空間の寸法は同一の寸法に設定される。第二タンク６２と第三タンク６６は、同等量のインクを貯留することができる。
【００４０】
回収接続部６８Ａは、流路モジュール８０Ａの回収口８２Ａと第三タンク６６の流入口６７Ａを繋ぐ（図３及び図４参照）。ノズル３２Ａ（図５及び図６参照）から吐出されることなく流路モジュール８０Ａから流出するインクは、流路モジュール８０Ａの回収口８２Ａから流出し、回収接続部６８Ａを流れ、流入口６７Ａを通過して第三タンク６６に回収される。回収接続部６８Ｂは、流路モジュール８０Ｂの回収口８２Ｂと第三タンク６６の流入口６７Ｂを繋ぐ（図３及び図４参照）。ノズル３２Ｂ（図５及び図６参照）から吐出されることなく流路モジュール８０Ｂから流出するインクは、流路モジュール８０Ｂの回収口８２Ｂから流出し、回収接続部６８Ｂを流れ、流入口６７Ｂを通過して第三タンク６６に回収される。回収接続部６８Ｄは、流路モジュール８０Ｄの回収口８２Ｄと第三タンク６６の流入口６７Ｄを繋ぐ（図３及び図４参照）。ノズル３２Ｄ（図５及び図６参照）から吐出されることなく流路モジュール８０Ｄから流出するインクは、流路モジュール８０Ｄの回収口８２Ｄから流出し、回収接続部６８Ｄを流れ、流入口６７Ｄを通過して第三タンク６６に回収される。
【００４１】
回収接続部６８Ｅは、流路モジュール８０Ｅの回収口８２Ｅと第三タンク６６の流入口６７Ｅを繋ぐ（図３及び図４参照）。ノズル３２Ｅ（図５及び図６参照）から吐出されることなく流路モジュール８０Ｅから流出するインクは、流路モジュール８０Ｅの回収口８２Ｅから流出し、回収接続部６８Ｅを流れ、流入口６７Ｅを通過して第三タンク６６に回収される。回収接続部６８Ｆは、流路モジュール８０Ｆの回収口８２Ｆと第三タンク６６の流入口６７Ｆを繋ぐ（図３及び図４参照）。ノズル３２Ｆ（図５及び図６参照）から吐出されることなく流路モジュール８０Ｆから流出するインクは、流路モジュール８０Ｆの回収口８２Ｆから流出し、回収接続部６８Ｆを流れ、流入口６７Ｆを通過して第三タンク６６に回収される。回収接続部６８Ｇは、流路モジュール８０Ｇの回収口８２Ｇと第三タンク６６の流入口６７Ｇを繋ぐ（図３及び図４参照）。ノズル３２Ｇ（図５及び図６参照）から吐出されることなく流路モジュール８０Ｇから流出するインクは、流路モジュール８０Ｇの回収口８２Ｇから流出し、回収接続部６８Ｇを流れ、流入口６７Ｇを通過して第三タンク６６に回収される。
【００４２】
本実施形態では、流出口６３Ａ，６３Ｂ，６３Ｄ，６３Ｅ，６３Ｆ，６３Ｇを区別せず、又は、これらを総称する場合、「流出口６３」という。供給接続部６４Ａ，６４Ｂ，６４Ｄ，６４Ｅ，６４Ｆ，６４Ｇを区別せず、又は、これらを総称する場合、「供給接続部６４」という。流入口６７Ａ，６７Ｂ，６７Ｄ，６７Ｅ，６７Ｆ，６７Ｇを区別せず、又は、これらを総称する場合、「流入口６７」という。回収接続部６８Ａ，６８Ｂ，６８Ｄ，６８Ｅ，６８Ｆ，６８Ｇを区別せず、又は、これらを総称する場合、「回収接続部６８」という。
【００４３】
供給接続部６４Ａ，６４Ｂ，６４Ｄ，６４Ｅ，６４Ｆ，６４Ｇは鉛直方向に沿って設けられ、供給接続部６４Ａ，６４Ｂ，６４Ｄ，６４Ｅ，６４Ｆ，６４Ｇの各流路長はＬ１に設定される（図４参照）。回収接続部６８Ａ，６８Ｂ，６８Ｄ，６８Ｅ，６８Ｆ，６８Ｇは鉛直方向に沿って設けられ、回収接続部６８Ａ，６８Ｂ，６８Ｄ，６８Ｅ，６８Ｆ，６８Ｇの各流路長はＬ２に設定される（図４参照）。供給接続部６４の流路長Ｌ１と回収接続部６８の流路長Ｌ２は、例えば、「流路長Ｌ１＝流路長Ｌ２」とされる。この場合、第二タンク６２と第三タンク６６の鉛直方向の各位置は、同一の高さとなる。流路長Ｌ１，Ｌ２は、例えば、２００ｍｍ程度以下に設定される。例えば、流路長Ｌ１，Ｌ２は、５０ｍｍ〜１００ｍｍの範囲内の同一寸法に設定される。流路長Ｌ１，Ｌ２の各寸法は、諸条件を考慮して前述した範囲内の所定の値に適宜設定される。流路長Ｌ１と流路長Ｌ２は、異なる寸法としてもよい。供給接続部６４の流出口６３への接続と供給接続部６４の供給口８１への接続は、所定の継手（不図示）を介して行うようにしてもよい。回収接続部６８の流入口６７への接続と回収接続部６８の回収口８２への接続は、所定の継手（不図示）を介して行うようにしてもよい。
【００４４】
ノズルプレート７５は、例えば、０．０２ｍｍ〜１ｍｍ程度の板厚の薄板により形成される。ノズルプレート７５には、インクを吐出する複数のノズル３２が形成される（図５参照）。ノズルプレート７５に形成された複数のノズル３２は、ノズル群３３Ａを形成する複数のノズル３２Ａと、ノズル群３３Ｂを形成する複数のノズル３２Ｂと、ノズル群３３Ｄを形成する複数のノズル３２Ｄと、ノズル群３３Ｅを形成する複数のノズル３２Ｅと、ノズル群３３Ｆを形成する複数のノズル３２Ｆと、ノズル群３３Ｇを形成する複数のノズル３２Ｇにそれぞれ分類される。ノズル群３３Ａは流路モジュール８０Ａに対応し、ノズル群３３Ｂは流路モジュール８０Ｂに対応し、ノズル群３３Ｄは流路モジュール８０Ｄに対応する。ノズル群３３Ｅは流路モジュール８０Ｅに対応し、ノズル群３３Ｆは流路モジュール８０Ｆに対応し、ノズル群３３Ｇは流路モジュール８０Ｇに対応する。
【００４５】
ノズル群３３Ａ，３３Ｂ，３３Ｄ，３３Ｅ，３３Ｆ，３３Ｇのそれぞれにおいて、複数のノズル３２Ａ，３２Ｂ，３２Ｄ，３２Ｅ，３２Ｆ，３２Ｇは、例えば、千鳥状に配置される（図５参照）。但し、図５に示すようなノズル３２Ａ，３２Ｂ，３２Ｄ，３２Ｅ，３２Ｆ，３２Ｇの配置は例示であり、これとは異なる配置としてもよい。本実施形態において、「ノズル３２」は、ノズル３２Ａ，３２Ｂ，３２Ｄ，３２Ｅ，３２Ｆ，３２Ｇの何れかであり、又は、これらを総称するものである。本実施形態では、ノズル群３３Ａ，３３Ｂ，３３Ｄ，３３Ｅ，３３Ｆ，３３Ｇを区別せず、又は、これらを総称する場合、「ノズル群３３」という。ノズルプレート７５には、位置決め孔７６が形成される。位置決め孔７６は、例えば、４つの角部のうち、対角位置となる２つの角部の内側にそれぞれ形成される（図５参照）。
【００４６】
流路モジュール８０Ａは、供給接続部６４Ａを介して第二タンク６２から供給口８１Ａを通過して供給されるインクをノズル群３３Ａの複数のノズル３２Ａにそれぞれ流し、各ノズル３２Ａからインクを吐出させるモジュールである。ノズル３２Ａから吐出されないインクは、回収口８２Ａから回収接続部６８Ａに流出する。流路モジュール８０Ｂは、供給接続部６４Ｂを介して第二タンク６２から供給口８１Ｂを通過して供給されるインクをノズル群３３Ｂの複数のノズル３２Ｂにそれぞれ流し、各ノズル３２Ｂからインクを吐出させるモジュールである。ノズル３２Ｂから吐出されないインクは、回収口８２Ｂから回収接続部６８Ｂに流出する。流路モジュール８０Ｄは、供給接続部６４Ｄを介して第二タンク６２から供給口８１Ｄを通過して供給されるインクをノズル群３３Ｄの複数のノズル３２Ｄにそれぞれ流し、各ノズル３２Ｄからインクを吐出させるモジュールである。ノズル３２Ｄから吐出されないインクは、回収口８２Ｄから回収接続部６８Ｄに流出する。
【００４７】
流路モジュール８０Ｅは、供給接続部６４Ｅを介して第二タンク６２から供給口８１Ｅを通過して供給されるインクをノズル群３３Ｅの複数のノズル３２Ｅにそれぞれ流し、各ノズル３２Ｅからインクを吐出させるモジュールである。ノズル３２Ｅから吐出されないインクは、回収口８２Ｅから回収接続部６８Ｅに流出する。流路モジュール８０Ｆは、供給接続部６４Ｆを介して第二タンク６２から供給口８１Ｆを通過して供給されるインクをノズル群３３Ｆの複数のノズル３２Ｆにそれぞれ流し、各ノズル３２Ｆからインクを吐出させるモジュールである。ノズル３２Ｆから吐出されないインクは、回収口８２Ｆから回収接続部６８Ｆに流出する。流路モジュール８０Ｇは、供給接続部６４Ｇを介して第二タンク６２から供給口８１Ｇを通過して供給されるインクをノズル群３３Ｇの複数のノズル３２Ｇにそれぞれ流し、各ノズル３２Ｇからインクを吐出させるモジュールである。ノズル３２Ｇから吐出されないインクは、回収口８２Ｇから回収接続部６８Ｇに流出する。
【００４８】
流路モジュール８０Ａ，８０Ｂ，８０Ｄ，８０Ｅ，８０Ｆ，８０Ｇは、同様の構成を有する。本実施形態では、流路モジュール８０Ａ，８０Ｂ，８０Ｄ，８０Ｅ，８０Ｆ，８０Ｇを区別せず、又は、これらを総称する場合、「流路モジュール８０」という。本実施形態において、「供給口８１」は、供給口８１Ａ，８１Ｂ，８１Ｄ，８１Ｅ，８１Ｆ，８１Ｇの何れかであり、又は、これらを総称するものである。「回収口８２」は、回収口８２Ａ，８２Ｂ，８２Ｄ，８２Ｅ，８２Ｆ，８２Ｇの何れかであり、又は、これらを総称するものである。
【００４９】
流路モジュール８０には、上述した供給口８１と回収口８２の他、内部に内部流路８３が形成される（図６参照）。内部流路８３は、本流部８４と複数の支流部８５を含む。本流部８４は、供給口８１と回収口８２を繋ぐ。複数の支流部８５は、本流部８４からそれぞれ分岐し、対応するノズル群３３の複数のノズル３２にそれぞれ繋がる。即ち、本流部８４と複数の支流部８５を含む内部流路８３は、ヘッドユニット６０として組み立てられた状態（図３参照）において、供給口８１と、回収口８２と、対応するノズル群３３の複数のノズル３２のそれぞれを繋ぐ。供給接続部６４から供給口８１を通過して流路モジュール８０に流入したインクは、内部流路８３の本流部８４を回収口８２の側に流れる。本流部８４を流れるインクの一部は、各支流部８５への分岐位置で、各ノズル３２へと繋がる支流部８５の側へ流れて、ノズル３２に到達する。支流部８５の側へ流れることなく、本流部８４をそのまま流れ、回収口８２に到達したインクは、回収口８２を通過して回収接続部６８へと流出する。
【００５０】
流路モジュール８０は、複数の駆動素子８６を備える（図３〜図６参照）。複数の駆動素子８６は、複数のノズル３２へとそれぞれ繋がる各支流部８５に複数のノズル３２のそれぞれに対応して設けられる。各ノズル群３３において複数のノズル３２を千鳥状に配置した本実施形態では、駆動素子８６は、鉛直方向の上側となる流路モジュール８０の面で、短手方向の両側にそれぞれ複数設けられる（図３〜図６参照）。駆動素子８６は、ノズル３２からインクを吐出させる駆動部である。駆動素子８６としては、ピエゾ素子又はヒータが例示される。ピエゾ素子又はヒータのような駆動素子８６の駆動を介したインクの吐出は、公知のインクジェット記録装置と同様に行われる。
【００５１】
長手方向の両側となる流路モジュール８０Ａ，８０Ｂ，８０Ｄ，８０Ｅ，８０Ｆ，８０Ｇの各鍔状部分には、位置決め孔８７Ａ，８７Ｂ，８７Ｄ，８７Ｅ，８７Ｆ，８７Ｇと取付孔８８Ａ，８８Ｂ，８８Ｄ，８８Ｅ，８８Ｆ，８８Ｇがそれぞれ形成される（図５参照）。
【００５２】
フレーム９０は、ノズルプレート７５と流路モジュール８０Ａ，８０Ｂ，８０Ｄ，８０Ｅ，８０Ｆ，８０Ｇを接続する。フレーム９０を介して接続されたノズルプレート７５と各流路モジュール８０は、図６に示すような状態となる。ノズルプレート７５は、鉛直方向の下側となるフレーム９０の端面に取り付けられる（図３参照）。ノズルプレート７５のフレーム９０への取り付けには、例えば、接着剤が用いられ、ノズルプレート７５は、フレーム９０に固定される。鉛直方向の下側となるフレーム９０の端面には、位置決めピン９１が設けられる。位置決めピン９１は、例えば、図５に示すように、４つの角部のうち、対角位置となる２つの角部の内側にそれぞれ形成される。ノズルプレート７５は、２個の位置決め孔７６と２本の位置決めピン９１が嵌め合わされた状態でフレーム９０に取り付けられる。
【００５３】
フレーム９０には、開口部９２，９３が形成される（図５参照）。開口部９２，９３は、鉛直方向に貫通し、短手方向に隣り合った状態で形成される。開口部９２には、流路モジュール８０Ａ，８０Ｂ，８０Ｄが装着され、開口部９３には、流路モジュール８０Ｅ，８０Ｆ，８０Ｇが装着される。鉛直方向の上側となるフレーム９０の端面において、開口部９２の開口縁部のうち、長手方向の両側で短手方向に沿った２つの開口縁部には、３本の位置決めピン９４Ａ，９４Ｂ，９４Ｄ（合計６本）がそれぞれ設けられ、３個のねじ孔９５Ａ，９５Ｂ，９５Ｄ（合計６個）がそれぞれ形成される（図５参照）。前述した短手方向に沿った開口部９２の各開口縁部で、位置決めピン９４Ａ及びねじ孔９５Ａと位置決めピン９４Ｂ及びねじ孔９５Ｂと位置決めピン９４Ｄ及びねじ孔９５Ｄは、短手方向に一定の間隔で設けられる。
【００５４】
鉛直方向の上側となるフレーム９０の端面において、開口部９３の開口縁部のうち、長手方向の両側で短手方向に沿った２つの開口縁部には、３本の位置決めピン９４Ｅ，９４Ｆ，９４Ｇ（合計６本）がそれぞれ設けられ、３個のねじ孔９５Ｅ，９５Ｆ，９５Ｇ（合計６個）がそれぞれ形成される（図５参照）。前述した短手方向に沿った開口部９３の各開口縁部で、位置決めピン９４Ｅ及びねじ孔９５Ｅと位置決めピン９４Ｆ及びねじ孔９５Ｆと位置決めピン９４Ｇ及びねじ孔９５Ｇは、短手方向に一定の間隔で設けられる。
【００５５】
流路モジュール８０Ａは、長手方向の各側で位置決め孔８７Ａと位置決めピン９４Ａが嵌め合わされた状態で開口部９２に装着される（図３参照）。そして、流路モジュール８０Ａは、２個の取付孔８８Ａにそれぞれ挿入されねじ孔９５Ａにねじ込まれた２本のねじ９６によってフレーム９０に取り付けられる（図３参照）。流路モジュール８０Ｂは、長手方向の各側で位置決め孔８７Ｂと位置決めピン９４Ｂが嵌め合わされた状態で開口部９２に装着される（図３参照）。そして、流路モジュール８０Ｂは、２個の取付孔８８Ｂにそれぞれ挿入されねじ孔９５Ｂにねじ込まれた２本のねじ９６によってフレーム９０に取り付けられる（図３参照）。流路モジュール８０Ｄは、長手方向の各側で位置決め孔８７Ｄと位置決めピン９４Ｄが嵌め合わされた状態で開口部９２に装着される（図３参照）。そして、流路モジュール８０Ｄは、２個の取付孔８８Ｄにそれぞれ挿入されねじ孔９５Ｄにねじ込まれた２本のねじ９６によってフレーム９０に取り付けられる（図３参照）。
【００５６】
流路モジュール８０Ｅは、長手方向の各側で位置決め孔８７Ｅと位置決めピン９４Ｅが嵌め合わされた状態で開口部９３に装着される（図３参照）。そして、流路モジュール８０Ｅは、２個の取付孔８８Ｅにそれぞれ挿入されねじ孔９５Ｅにねじ込まれた２本のねじ９６によってフレーム９０に取り付けられる（図３参照）。流路モジュール８０Ｆは、長手方向の各側で位置決め孔８７Ｆと位置決めピン９４Ｆが嵌め合わされた状態で開口部９３に装着される（図３参照）。そして、流路モジュール８０Ｆは、２個の取付孔８８Ｆにそれぞれ挿入されねじ孔９５Ｆにねじ込まれた２本のねじ９６によってフレーム９０に取り付けられる（図３参照）。流路モジュール８０Ｇは、長手方向の各側で位置決め孔８７Ｇと位置決めピン９４Ｇが嵌め合わされた状態で開口部９３に装着される（図３参照）。そして、流路モジュール８０Ｇは、２個の取付孔８８Ｇにそれぞれ挿入されねじ孔９５Ｇにねじ込まれた２本のねじ９６によってフレーム９０に取り付けられる（図３参照）。
【００５７】
流路モジュール８０Ａ，８０Ｂ，８０Ｄ，８０Ｅ，８０Ｆ，８０Ｇは、流路モジュール８０Ａ，８０Ｂ，８０Ｄ，８０Ｅ，８０Ｆ，８０Ｇをフレーム９０にそれぞれ取り付けるねじ９６を取り外すことで、フレーム９０から個別に取り外すことができる。
【００５８】
＜本実施形態の効果＞
本実施形態によれば、次のような効果を得ることができる。
【００５９】
（１）インクジェットヘッド３１を複数のヘッドユニット６０で形成することとした（図２参照）。ヘッドユニット６０は、第二タンク６２と、複数の供給接続部６４と、第三タンク６６と、複数の回収接続部６８と、流路部７０を備える（図３参照）。流路部７０は、ノズルプレート７５と、複数の流路モジュール８０と、フレーム９０により形成される（図３〜図６参照）。ノズルプレート７５と複数の流路モジュール８０は、フレーム９０に取り付けられ、フレーム９０を介して接続される（図３、図５及び図６参照）。その際、複数の流路モジュール８０は、ねじ９６によりフレーム９０に対して着脱自在に取り付けられる（図３参照）。ノズルプレート７５には、複数のノズル群３３に分類させた状態で複数のノズル３２が形成される（図５参照）。流路モジュール８０には、供給口８１と回収口８２と内部流路８３が形成される。内部流路８３は、本流部８４と複数の支流部８５を含む。本流部８４は、供給口８１と回収口８２を繋ぐ。複数の支流部８５は、本流部８４からそれぞれ分岐し、対応するノズル群３３の複数のノズル３２にそれぞれ繋がる。流路モジュール８０では、複数のノズル３２へとそれぞれ繋がる各支流部８５に複数のノズル３２のそれぞれに対応して複数の駆動素子８６が設けられる（図３〜図６参照）。第二タンク６２は、複数の流出口６３と複数の供給口８１がそれぞれ向かい合った状態で、複数の流路モジュール８０の上方に設けられる（図３、図４及び図６参照）。第三タンク６６は、複数の流入口６７と複数の回収口８２がそれぞれ向かい合った状態で、複数の流路モジュール８０の上方に設けられる（図３及び図４参照）。第一タンク５０と第二タンク６２は供給流路５１を介して繋がり、第三タンク６６と第一タンク５０は回収流路５２を介して繋がる（図２参照）。第二タンク６２と複数の流路モジュール８０は複数の供給接続部６４を介して繋がり、複数の流路モジュール８０と第三タンク６６は複数の回収接続部６８を介して繋がる（図３参照）。
【００６０】
そのため、供給流路５１を介して第一タンク５０から第二タンク６２にインクを供給し、第二タンク６２に貯留されたインクを複数の供給接続部６４を介して複数の流路モジュール８０に供給し、第二タンク６２から各流路モジュール８０に供給されたインクのうち、ノズル３２から吐出されないインクを複数の回収接続部６８を介して第三タンク６６に回収し、第三タンク６６に貯留されたインクを回収流路５２を介して第一タンク５０に回収することができる。インクを循環させることができる。多量のインク消費にも対応することができる。第二タンク６２と第三タンク６６をコンパクトに配置することができる。複数の流路モジュール８０に対して１個の第二タンク６２からインクを供給し、複数の流路モジュール８０から１個の第三タンク６６にインクを回収することができる。複数の流路モジュール８０のそれぞれに対して第二タンク６２及び第三タンク６６に相当する各タンクを設けた構成と比較し、シンプルなヘッドユニット６０とすることができる。インクジェットヘッド３１を小型化することができる。小型のインクジェットヘッド３１により、インクジェット記録装置１０の小型化を実現することができる。
【００６１】
ノズルプレート７５と複数の流路モジュール８０はフレーム９０を介して接続されるため、これらを、例えば、接着剤又はねじによって直接接続する必要がない。複数の流路モジュール８０を個別に取り替えることができる。例えば、流路モジュール８０Ａ，８０Ｂ，８０Ｄ，８０Ｅ，８０Ｆ，８０Ｇのうち、流路モジュール８０Ａが故障した場合、フレーム９０から故障した流路モジュール８０Ａを取り外し、新たな流路モジュール８０Ａをフレーム９０に取り付けるといった作業により、流路モジュール８０Ａのみを交換することができる。また、流路モジュール８０Ａ，８０Ｆが故障した場合、フレーム９０から故障した流路モジュール８０Ａ，８０Ｆを取り外し、新たな流路モジュール８０Ａ，８０Ｆをフレーム９０に取り付けるといった作業により、流路モジュール８０Ａ，８０Ｆのみを交換することができる。故障の際のメンテナンス性を向上させることができる。
【００６２】
（２）第二タンク６２にフィルタ６５を設けることとした（図４及び図６参照）。そのため、各流路モジュール８０への不純物の混入を抑制することができる。不純物に起因したノズル詰まり又は吐出異常を抑制することができる。
【００６３】
（３）上記では説明を省略したが、インクジェット記録装置１０は減圧装置（不図示）に接続される。例えば、インクジェット記録装置１０では、第二タンク６２が減圧装置に接続され、第二タンク６２の内部は減圧された状態とされる。これにより、ノズル３２にはメニスカスが形成される。第二タンク６２と第三タンク６６では、内部の空間の寸法が同一とされる。複数の供給接続部６４と複数の回収接続部６８は全て鉛直方向に沿って設けられ、その流路長Ｌ１，Ｌ２は同一とされる。その結果、第二タンク６２と第三タンク６６は、鉛直方向の位置が同じ高さとなる（図３参照）。そのため、第二タンク６２に貯留されたインクの液面の高さと第三タンク６６に貯留された液面の高さをコントロールし、安定したメニスカスを形成することができる。流路長Ｌ１，Ｌ２を２００ｍｍ程度以下とすることで、流路長Ｌ１，Ｌ２が異なる場合であっても、第二タンク６２と第三タンク６６の両液面の高さをコントロールし、安定したメニスカスを形成することができる。
【００６４】
＜変形例＞
本実施形態は、次のようにすることもできる。以下に示す変形例のうちの幾つかの構成は、適宜組み合わせて採用することもできる。以下では上記とは異なる点を説明することとし、同様の点についての説明は適宜省略する。
【００６５】
（１）上記では、複数のヘッドユニット６０により形成されるインクジェットヘッド３１Ｋ，３１Ｍ，３１Ｙ，３１Ｃを含む記録部３０を移動部４０により短手方向に往復移動させて画像の記録を行うインクジェット記録装置１０を例に説明した（図１及び図２参照）。ヘッドユニット６０（図３参照）は、インクジェット記録装置の記録部がライン型のインクジェットヘッドを備える場合にも採用することができる。ライン型のインクジェットヘッドでは、短手方向に各色のインクを吐出するノズル３２が配列される。例えば、ライン型のインクジェットヘッドでは、ノズル３２は、短手方向において、記録媒体１４の幅Ｗ３（図１参照）以上の範囲に形成される。
【００６６】
例えば、ライン型のインクジェットヘッドは、短手方向に配列された一群のヘッドユニット６０を、長手方向に複数配列して形成される。長手方向の一方側（例えば、搬送方向の上流側）で短手方向に配列された複数のヘッドユニット６０による第一ユニット列と、長手方向の他方側（例えば、搬送方向の下流側）で短手方向に配列された複数のヘッドユニット６０による第二ユニット列は、短手方向に所定量だけずれた状態で配置される。このような配置は、上記同様、ノズル３２が存在しない短手方向の領域をなくすためである。ライン型のインクジェットヘッドによる記録部を備えるインクジェット記録装置では、移動部４０及び支持部４６は省略される。搬送部２０による記録媒体１４の搬送は、連続的に行われる。
【００６７】
（２）上記では、第二タンク６２がフィルタ６５を備え、第三タンク６６はフィルタを備えない構成を例に説明した。第三タンクにフィルタを設けるようにしてもよい。また、第二タンクにおいてフィルタ６５は省略するようにしてもよい。このような場合、第二タンクと第三タンクは、同一のタンクにより構成される。インクジェット記録装置を構成する部品点数を少なくすることができる。インクジェット記録装置の管理が容易になる。例えば、ヘッドユニットを組み立てるとする。作業者は、所定の１個のタンクが第二タンクであるか第三タンクであるかに留意することなく、組立作業を行うことができる。第二タンク又は第三タンクとなり得るタンクには、所定の位置に複数の流路モジュール８０Ａ，８０Ｂ，８０Ｄ，８０Ｅ，８０Ｆ，８０Ｇの供給口８１Ａ，８１Ｂ，８１Ｄ，８１Ｅ，８１Ｆ，８１Ｇ又は回収口８２Ａ，８２Ｂ，８２Ｄ，８２Ｅ，８２Ｆ，８２Ｇに対応した６個の開口が形成される。このタンクが第二タンクとされる場合、前述した６個の開口は流出口６３Ａ，６３Ｂ，６３Ｄ，６３Ｅ，６３Ｆ，６３Ｇとなる。このタンクが第三タンクとされる場合、前述した６個の開口は流入口６７Ａ，６７Ｂ，６７Ｄ，６７Ｅ，６７Ｆ，６７Ｇとなる。また、第二タンク又は第三タンクとなり得るタンクには、供給流路５１又は回収流路５２に繋がる開口が、例えば上記同様に形成される（図３参照）。第二タンクがフィルタ６５を備えない場合、例えば、ポンプ５３と第二タンクの間の供給流路５１の部分に、フィルタを含む構成を設けるようにしてもよい。
【００６８】
（３）上記では、１個のヘッドユニット６０が備える流路部７０を、ノズルプレート７５と、流路モジュール８０Ａ，８０Ｂ，８０Ｄ，８０Ｅ，８０Ｆ，８０Ｇと、フレーム９０により形成することとした（図３〜図６参照）。また、フレーム９０に２個の開口部９２，９３を形成することとした（図５参照）。流路部における流路モジュールの個数は、６個とは異なる数としてもよい。例えば、１個の流路モジュールにより流路部を形成するようにしてもよい。この場合、フレームには、１個の流路モジュールに対応して開口部が１個形成される。この他、２個の流路モジュールにより流路部を形成するようにしてもよい。この場合、フレームには、２個の流路モジュールに対応して開口部が形成される。複数の流路モジュールとする場合、開口部の個数は、諸条件を考慮して適宜決定される。流路部は、フレームを介さず、ノズルプレートと１個又は複数個の流路モジュールを所定の方法で直接接続した構成としてもよい。例えば、メンテナンス性が特に問題とならない場合、このような構成としてもよい。
【００６９】
（４）上記では、インクを送液する送液部としてポンプ５３を例に説明した（図２参照）。インクの送液は、例えば、第一タンク５０の内部を加圧して行うようにしてもよい。このような加圧を利用したインクの送液は、公知のインクジェット記録装置においても実用化されている。従って、これに関する説明は省略する。インクの送液を加圧を利用して行う場合、回収流路５２の途中に、第三タンク６６に貯留されたインクを第一タンク５０の側に流すポンプを設けるようにしてもよい。このポンプを駆動させたインクの回収の際、第一タンク５０の内部は大気開放され、大気圧とされる。
【００７０】
（５）インクジェット記録装置１０は、上述した各部の他、第一検出部と、第二検出部を備えるようにしてもよい。第一検出部は、第二タンク６２に設けられ、第二タンク６２に貯留されたインクの液面を検出するセンサである。第二検出部は、第三タンク６６に設けられ、第三タンク６６に貯留されたインクの液面を検出するセンサである。第一検出部と第二検出部としては、公知のインクジェット記録装置において採用されている、所定のタンクに貯留されたインクの液面を検出するセンサを利用することができる。第二タンク６２と第三タンク６６を所定のチューブにより繋ぎ、第二タンク６２の内部の空間と第三タンク６６の内部の空間が連なり通じた状態とした場合、例えば、第二検出部は省略するようにしてもよい。この場合、第二タンク６２の内部の空間と第三タンク６６の内部の空間の圧力は等しくなり、第二タンク６２に貯留されたインクの液面と第三タンク６６に貯留されたインクの液面は同じ高さとなる。第一検出部により第三タンク６６に貯留されたインクの液面を実質的に検出することができる。第二タンク６２及び第三タンク６６にそれぞれ貯留されたインクの液面を第一検出部及び第二検出部を介して検出し、又は、第二タンク６２に貯留されたインクの液面を第一検出部を介して検出することで、上述したノズル３２におけるメニスカスの形成を安定させることができる。第二タンク６２へのインクの供給を制御することができる。第二タンク６２の液面が変動し、吐出異常が発生することを抑制することができる。
【００７１】
（６）インクジェット記録装置１０は、上述した各部の他、調整部を備えるようにしてもよい。調整部は、回収接続部６８の途中に設けられ、回収接続部６８を流れるインクの流量を調整する構成である。調整部は、複数の回収接続部６８のそれぞれに対して設けられる。調整部としては、公知の流量調整弁が例示される。調整部により第三タンク６６の側に流れるインクの量を可変することができる。インクジェット記録装置１０を用いて画像の記録を行う場合、例えば、記録媒体１４の種類又は画像が記録された記録媒体１４により形成される製品に対する要求を考慮し、インクの種類が決定される。インクの種類が異なると、粘度が異なる。使用するインクの種類に応じて、第三タンク６６の側に流れるインクの量、換言すれば、複数のノズル３２の側に流れるインクの量を調整することができる。１本の供給接続部６４と１個のノズル群３３の複数のノズル３２へと繋がる複数の支流部８５と１本の回収接続部６８の各流路の流路抵抗は、供給接続部６４の流路抵抗が最も低く、複数の支流部８５の流路抵抗（複数本の総量）が最も高くなる。回収接続部６８の流路抵抗は、供給接続部６４より高く、複数の支流部８５より低くなる。
【符号の説明】
【００７２】
１０  インクジェット記録装置、  １４  記録媒体、  １５  記録面、  ２０  搬送部
３０  記録部、  ３１，３１Ｋ，３１Ｍ，３１Ｙ，３１Ｃ  インクジェットヘッド
３２，３２Ａ，３２Ｂ，３２Ｄ，３２Ｅ，３２Ｆ，３２Ｇ  ノズル
３３，３３Ａ，３３Ｂ，３３Ｄ，３３Ｅ，３３Ｆ，３３Ｇ  ノズル群
３４  キャリッジ、  ３５  吐出面、  ４０  移動部、  ４１，４２  プーリ
４３  タイミングベルト、  ４６  支持部
５０，５０Ｋ，５０Ｍ，５０Ｙ，５０Ｃ  第一タンク
５１，５１Ｋ，５１Ｍ，５１Ｙ，５１Ｃ  供給流路
５２，５２Ｋ，５２Ｍ，５２Ｙ，５２Ｃ  回収流路
５３  ポンプ、  ６０  ヘッドユニット、  ６２  第二タンク
６３，６３Ａ，６３Ｂ，６３Ｄ，６３Ｅ，６３Ｆ，６３Ｇ  流出口
６４，６４Ａ，６４Ｂ，６４Ｄ，６４Ｅ，６４Ｆ，６４Ｇ  供給接続部
６５  フィルタ、  ６６  第三タンク
６７，６７Ａ，６７Ｂ，６７Ｄ，６７Ｅ，６７Ｆ，６７Ｇ  流入口
６８，６８Ａ，６８Ｂ，６８Ｄ，６８Ｅ，６８Ｆ，６８Ｇ  回収接続部
７０  流路部、  ７５  ノズルプレート、  ７６  位置決め孔
８０，８０Ａ，８０Ｂ，８０Ｄ，８０Ｅ，８０Ｆ，８０Ｇ  流路モジュール
８１，８１Ａ，８１Ｂ，８１Ｄ，８１Ｅ，８１Ｆ，８１Ｇ  供給口
８２，８２Ａ，８２Ｂ，８２Ｄ，８２Ｅ，８２Ｆ，８２Ｇ  回収口
８３  内部流路、  ８４  本流路、  ８５  支流部、  ８６  駆動素子
８７Ａ，８７Ｂ，８７Ｄ，８７Ｅ，８７Ｆ，８７Ｇ  位置決め孔
８８Ａ，８８Ｂ，８８Ｄ，８８Ｅ，８８Ｆ，８８Ｇ  取付孔
９０  フレーム、  ９１  位置決めピン、  ９２，９３  開口部
９４Ａ，９４Ｂ，９４Ｄ，９４Ｅ，９４Ｆ，９４Ｇ  位置決めピン
９５Ａ，９５Ｂ，９５Ｄ，９５Ｅ，９５Ｆ，９５Ｇ  ねじ孔、  ９６  ねじ
Ｌ１，Ｌ２  流路長、  Ｗ３  幅
【図１】
0006432027.tif 000002
【図２】
0006432027.tif 000003
【図３】
0006432027.tif 000004
【図４】
0006432027.tif 000005
【図５】
0006432027.tif 000006
【図６】
0006432027.tif 000007